(57)【要約】回路基板を備えるＡＣＤＣ電源装置であって、前記回路基板は、交流電流が入力される交流入力端子と、直流電流が出力される直流出力端子と、を備え、前記ＡＣＤＣ電源装置は、前記交流入力端子から入力される交流電流を整流するダイオードブリッジと、前記交流入力端子と前記ダイオードブリッジとを電気的に接続する交流入力ラインと、前記ダイオードブリッジに接続されたコイルと、前記直流出力端子に接続されたダイオードと、前記コイルと前記ダイオードとを電気的に接続するスイッチングラインと、前記スイッチングラインに接続されたスイッチング素子と、を備え、前記スイッチングラインの一部は、前記交流入力ラインの一部に対して垂直に配置される、ＡＣＤＣ電源装置。
2018088454.tif 000002
【特許請求の範囲】
【請求項１】
回路基板を備えるＡＣＤＣ電源装置であって、
前記回路基板は、
交流電流が入力される交流入力端子と、
直流電流が出力される直流出力端子と、
を備え、
前記ＡＣＤＣ電源装置は、
前記交流入力端子から入力される交流電流を整流するダイオードブリッジと、
前記交流入力端子と前記ダイオードブリッジとを電気的に接続する交流入力ラインと、
前記ダイオードブリッジに接続されたコイルと、
前記直流出力端子に接続されたダイオードと、
前記コイルと前記ダイオードとを電気的に接続するスイッチングラインと、
前記スイッチングラインに接続されたスイッチング素子と、
を備え、
前記スイッチングラインの一部は、前記交流入力ラインの一部に対して垂直に配置される。
【請求項２】
請求項１に記載のＡＣＤＣ電源装置であって、
前記スイッチングラインは、前記コイルに隣接するコイル隣接部分を有し、
前記交流入力ラインは、前記交流入力端子に隣接する交流入力端子隣接部分を有し、
前記コイル隣接部分は、前記交流入力端子隣接部分に対して垂直に配置される。
【請求項３】
請求項２に記載のＡＣＤＣ電源装置であって、
前記ダイオードブリッジは、前記交流入力端子隣接部分と前記スイッチング素子との間に配置される。
【請求項４】
請求項２又は請求項３に記載のＡＣＤＣ電源装置であって、
ＥＭＣ対策部材を更に備え、
前記ＥＭＣ対策部材は、前記交流入力ライン内に配置され、
前記交流入力端子隣接部分は、前記交流入力端子と前記ＥＭＣ対策部材とを接続する。
【請求項５】
請求項２から請求項４のいずれか一項に記載のＡＣＤＣ電源装置であって、
前記コイルは、前記交流入力端子隣接部分と前記スイッチング素子との間に配置される。
【請求項６】
請求項５に記載のＡＣＤＣ電源装置であって、
前記コイル隣接部分が延びる第１方向は、前記交流入力端子隣接部分が延びる第２方向に対して垂直であり、
前記第１方向における前記コイルと前記スイッチング素子との間隔は、前記第２方向における前記スイッチング素子と前記ダイオードとの間隔よりも大きい。
【請求項７】
請求項２から請求項６のいずれか一項に記載のＡＣＤＣ電源装置であって、
前記交流入力ラインは、前記ダイオードブリッジに隣接するダイオードブリッジ隣接部分を有し、
前記ダイオードブリッジ隣接部分は、前記コイル隣接部分に対して平行であり、
前記ダイオードブリッジ隣接部分は、前記交流入力端子隣接部分より短い。
【請求項８】
請求項２から請求項７のいずれか一項に記載のＡＣＤＣ電源装置であって、
前記直流出力端子と前記ダイオードとを電気的に接続する直流出力ラインを更に備え、
前記直流出力ラインは、前記交流入力端子隣接部分に対して垂直に配置される。
【請求項９】
請求項１から請求項７のいずれか一項に記載のＡＣＤＣ電源装置であって、
前記回路基板とは、長方形状であり、
前記交流入力端子は、前記回路基板の第１の辺に配置され、
前記直流出力端子は、前記第１の辺に対向する第２の辺に配置される。
【請求項１０】
請求項１から請求項９のいずれか一項に記載のＡＣＤＣ電源装置であって、
前記スイッチング素子とは、窒化ガリウム電界効果トランジスタである。
【請求項１１】
請求項１から請求項１０のいずれか一項に記載のＡＣＤＣ電源装置であって、
前記スイッチング素子を駆動するゲートドライバと、
前記ゲートドライバに電源を供給するＤＣＤＣコンバータとを更に備え、
前記ＤＣＤＣコンバータは、前記回路基板に対して垂直に配置される。
【請求項１２】
モータであって、
請求項１から請求項１１のいずれか一項に記載のＡＣＤＣ電源装置を備える。
【発明の詳細な説明】
【技術分野】
【０００１】
本発明は、ＡＣＤＣ電源装置およびモータに関する。
【背景技術】
【０００２】
従来から、交流が直流に変換される電力変換装置が知られている（例えば日本国公開公報第２０１５−２３３３７５号公報参照）。日本国公開公報第２０１５−２３３３７５号公報の電力変換装置では、交流が入力され、直流が出力される。日本国公開公報第２０１５−２３３３７５号公報の電力変換装置には、整流ダイオードと、リアクタ（コイル）と、逆阻止ダイオードと、スイッチング素子とが設けられる。整流ダイオードは交流を整流する。リアクタ（コイル）は、整流ダイオードよりも出力側に配置される。逆阻止ダイオードは、リアクタ（コイル）よりも出力側に配置される。スイッチング素子は、リアクタ（コイル）と逆阻止ダイオードとの間のラインに接続される。
【先行技術文献】
【特許文献】
【０００３】
【特許文献１】日本国公開公報第２０１５−２３３３７５号公報
【発明の概要】
【発明が解決しようとする課題】
【０００４】
日本国公開公報第２０１５−２３３３７５号公報の電力変換装置では、交流の入力部と直流の出力部との間に配置される整流スタック、力率改善モジュールなどの複数の構成要素が、配線によって相互に接続される。そのため、装置全体が大型化する。装置全体を小型化するために、交流の入力部と直流の出力部との間の複数の構成要素を１つの回路基板に実装する場合がある。この場合、リアクタ（コイル）と逆阻止ダイオードとスイッチング素子との間のラインで発生するスイッチングノイズが、電磁誘導によって、交流の入力部に影響を与えるおそれがある。【０００５】
本発明の一態様は、装置全体を小型化しかつスイッチングノイズが交流入力ラインに与える影響を抑制したＡＣＤＣ電源装置およびモータを提供することを目的の一つとする。
【課題を解決するための手段】
【０００６】
本発明の一態様によれば、回路基板を備えるＡＣＤＣ電源装置であって、前記回路基板は、交流電流が入力される交流入力端子と、直流電流が出力される直流出力端子と、を備え、前記ＡＣＤＣ電源装置は、前記交流入力端子から入力される交流電流を整流するダイオードブリッジと、前記交流入力端子と前記ダイオードブリッジとを電気的に接続する交流入力ラインと、前記ダイオードブリッジに接続されたコイルと、前記直流出力端子に接続されたダイオードと、前記コイルと前記ダイオードとを電気的に接続するスイッチングラインと、前記スイッチングラインに接続されたスイッチング素子と、を備え、前記スイッチングラインの一部は、前記交流入力ラインの一部に対して垂直に配置される、ＡＣＤＣ電源装置が提供される。【０００７】
本発明の一態様によれば、前述のＡＣＤＣ電源装置を備えるモータが提供される。
【発明の効果】
【０００８】
本発明の一態様によれば、装置全体を小型化しかつスイッチングノイズが交流入力ラインに与える影響を抑制したＡＣＤＣ電源装置およびモータが提供される。
【図面の簡単な説明】
【０００９】
【図１】図１は、第１実施形態のＡＣＤＣ電源装置を示す平面図である。
【図２】図２は、第１実施形態のＡＣＤＣ電源装置を示す正面図である。
【図３】図３は、第２実施形態のＡＣＤＣ電源装置を示す平面図である。
【図４】図４は、第３実施形態のＡＣＤＣ電源装置を示す平面図である。
【発明を実施するための形態】
【００１０】
＜第１実施形態＞
図１に示すように、第１実施形態のＡＣＤＣ電源装置は、回路基板１０を備える。回路基板１０は、交流電流が入力される交流入力端子１０ａを備える。交流入力端子１０ａはＬ（ライブまたはライン）側交流入力端子１０ａ１と、Ｎ（ニュートラル）側交流入力端子１０ａ２とを含む。回路基板１０は、直流電流が出力される直流出力端子１０ｂを備える。直流出力端子１０ｂは、高電位側直流出力端子１０ｂ１と、低電位側直流出力端子１０ｂ２とを含む。つまり、第１実施形態のＡＣＤＣ電源装置では、交流入力端子１０ａと、直流出力端子１０ｂとが、１つの回路基板１０に設けられる。そのため、交流入力端子と直流出力端子とが１つの回路基板に設けられない場合よりも、ＡＣＤＣ電源装置全体を小型化することができる。
【００１１】
第１実施形態のＡＣＤＣ電源装置は、ダイオードブリッジ２０と、交流入力ライン３０と、コイル４０と、ダイオード４５と、スイッチングライン５０と、スイッチング素子５５とを備える。ダイオードブリッジ２０は、交流入力端子１０ａのＬ側交流入力端子１０ａ１とＮ側交流入力端子１０ａ２とから入力される交流電流を整流する。交流入力ライン３０は、交流入力端子１０ａとダイオードブリッジ２０とを電気的に接続する。交流入力ライン３０は、交流入力端子１０ａに隣接する交流入力端子隣接部分３０ａと、ダイオードブリッジ２０に隣接するダイオードブリッジ隣接部分３０ｂとを有する。交流入力端子隣接部分３０ａは、Ｌ側交流入力端子隣接部分３０ａ１と、Ｎ側交流入力端子隣接部分３０ａ２とを含む。ダイオードブリッジ隣接部分３０ｂは、Ｌ側ダイオードブリッジ隣接部分３０ｂ１と、Ｎ側ダイオードブリッジ隣接部分３０ｂ２とを含む。
【００１２】
交流入力ライン３０は、回路基板１０に設けられたランド（パターン）によって構成されてもよく、回路基板１０に実装された電子部品によって構成されてもよい。あるいは、交流入力ライン３０は、回路基板１０に設けられたランドと、回路基板１０に実装された電子部品とによって構成されてもよい。
【００１３】
コイル４０は、ダイオードブリッジ２０に接続される。ダイオード４５は、直流出力ライン７０を介して直流出力端子１０ｂに電気的に接続される。直流出力ライン７０は、高電位側直流出力ライン７０ａと、低電位側直流出力ライン７０ｂとを含む。低電位側直流出力ライン７０ｂには、コンデンサ６５が配置される。直流出力ライン７０は、回路基板１０に設けられたランド（パターン）によって構成されてもよく、回路基板１０に実装された電子部品によって構成されてもよい。あるいは、直流出力ライン７０は、回路基板１０に設けられたランドと、回路基板１０に実装された電子部品とによって構成されてもよい。
【００１４】
ダイオード４５は、高電位側直流出力ライン７０ａを介して高電位側直流出力端子１０ｂ１に接続され、低電位側直流出力ライン７０ｂを介して低電位側直流出力端子１０ｂ２に接続される。スイッチングライン５０は、コイル４０とダイオード４５とを電気的に接続する。スイッチング素子５５は、スイッチングライン５０に接続される。つまり、スイッチングライン５０は、コイル４０と、ダイオード４５と、スイッチング素子５５との間に設けられる。スイッチングライン５０は、コイル４０に隣接するコイル隣接部分５０ａと、スイッチング素子５５に隣接するスイッチング素子隣接部分５０ｂと、ダイオード４５に隣接するダイオード隣接部分５０ｃとを有する。スイッチングライン５０は、回路基板１０に設けられたランドによって構成されてもよく、回路基板１０に実装された電子部品によって構成されてもよい。あるいは、スイッチングライン５０は、回路基板１０に設けられたランドと、回路基板１０に実装された電子部品とによって構成されてもよい。
【００１５】
例えばスイッチングライン５０のような、電流が流れる部分のまわりには、磁界が発生する。スイッチングライン５０を流れる電流は、例えばスイッチングライン５０において発生するスイッチングノイズなどが原因で、変動する。そのため、スイッチングライン５０のまわりに発生する磁界も変動する。ＡＣＤＣ電源装置全体が小型化されると、スイッチングライン５０のまわりに発生する磁界が、交流入力ライン３０にかかる場合がある。スイッチングライン５０のまわりに発生する磁界が交流入力ライン３０にかかる場合、スイッチングライン５０を流れる電流が変動すると、電磁誘導によって、交流入力ライン３０を流れる電流も変動する可能性がある。
【００１６】
具体的には、スイッチングライン５０と交流入力ライン３０とが平行である場合、スイッチングライン５０を流れる電流が変動すると、電磁誘導によって、交流入力ライン３０を流れる電流も変動する。一方、スイッチングライン５０と交流入力ライン３０とが垂直である場合、スイッチングライン５０を流れる電流が変動しても、電磁誘導によって、交流入力ライン３０を流れる電流は変動しない。
【００１７】
そこで、第１実施形態のＡＣＤＣ電源装置では、スイッチングライン５０の一部が、交流入力ライン３０の一部に対して垂直に配置される。そのため、スイッチングラインの全体が交流入力ラインの全体に対して平行に配置される場合よりも、スイッチングノイズが交流入力ライン３０に与える影響を抑制することができる。
【００１８】
詳細には、第１実施形態のＡＣＤＣ電源装置では、コイル隣接部分５０ａが、交流入力端子隣接部分３０ａに対して垂直に配置される。図１に示す例では、コイル隣接部分５０ａが、Ｌ側交流入力端子隣接部分３０ａ１の一部に対して垂直に配置される。そのため、コイル隣接部分が交流入力端子隣接部分の全体に対して平行に配置される場合よりも、スイッチングノイズが交流入力ライン３０の交流入力端子隣接部分３０ａに与える影響を抑制することができる。すなわち、第１実施形態のＡＣＤＣ電源装置では、ＡＣＤＣ電源装置全体を小型化し、かつ、スイッチングノイズが交流入力ライン３０の交流入力端子隣接部分３０ａに与える影響を抑制することができる。
【００１９】
ダイオードブリッジ２０は、交流入力端子隣接部分３０ａとスイッチング素子５５との間に配置される。つまり、スイッチング素子５５が交流入力端子隣接部分３０ａから離される。そのため、スイッチング素子が交流入力端子隣接部分に近い場合よりも、スイッチングノイズが交流入力端子隣接部分３０ａに与える影響を抑制することができる。
【００２０】
第１実施形態のＡＣＤＣ電源装置は、ＥＭＣ（ＥｌｅｃｔｒｏＭａｇｎｅｔｉｃ  Ｃｏｍｐａｔｉｂｉｌｉｔｙ）対策部材６０を更に備える。ＥＭＣ対策部材６０は、交流入力ライン３０内に配置される。ＥＭＣ対策部材６０は、例えば、Ｘコンデンサ、Ｙコンデンサ、チョークコイルまたはラインフィルタ等が用いられる。交流入力端子隣接部分３０ａは、交流入力端子１０ａとＥＭＣ対策部材６０とを接続する。ダイオードブリッジ隣接部分３０ｂは、直流出力端子１０ｂとＥＭＣ対策部材６０とを接続する。
【００２１】
つまり、第１実施形態のＡＣＤＣ電源装置では、ＥＭＣ対策部材６０がスイッチングライン５０と交流入力端子隣接部分３０ａとの間に配置される。そのため、ＥＭＣ対策部材がスイッチングラインと交流入力端子隣接部分との間に配置されない場合よりも、スイッチングノイズが交流入力端子隣接部分３０ａに与える影響を抑制することができる。
【００２２】
図１に示す例では、スイッチング素子５５が窒化ガリウム電界効果トランジスタである。他の例では、スイッチング素子５５として、他の任意のスイッチング素子を用いてもよい。窒化ガリウム電界効果トランジスタは、他のスイッチング素子よりも高速スイッチングに向いており、パワーデバイスの低損失化が期待できる。一方で、スイッチング回数が増えることにより、スイッチングノイズをより抑制する事が求められる。
【００２３】
第１実施形態のＡＣＤＣ電源装置は、スイッチング素子５５を駆動するゲートドライバと、ゲートドライバに電源を供給するＤＣＤＣコンバータ７５とを更に備える。図２に示すように、ＤＣＤＣコンバータ７５は、回路基板１０に対して垂直に配置される。そのため、ＤＣＤＣコンバータが回路基板に対して平行に配置される場合よりも、ＤＣＤＣコンバータ７５において発生するノイズが回路基板１０に伝搬することを抑制することができる。また、ＤＣＤＣコンバータが回路基板に対して平行に配置される場合よりも、回路基板１０において発生するノイズがＤＣＤＣコンバータ７５に伝搬することを抑制することができる。
【００２４】
図１に示す例では、回路基板１０が長方形状である。回路基板１０は、第１の辺１０−１と、第２の辺１０−２と、第３の辺１０−３と、第４の辺１０−４とを有する。第２の辺１０−２は第１の辺１０−１に対向する。第３の辺１０−３は第１の辺１０−１に対して垂直に配置される。第４の辺１０−４は第３の辺１０−３に対向する。交流入力端子１０ａは第１の辺１０−１に配置される。直流出力端子１０ｂは第２の辺１０−２に配置される。そのため、交流入力端子と直流出力端子とが同一の辺に配置される場合よりも、交流入力端子１０ａと直流出力端子１０ｂとを離間させることができる。その結果、直流出力端子１０ｂの近傍において発生するノイズが交流入力端子隣接部分３０ａに与える影響を抑制することができる。
【００２５】
＜第２実施形態＞
図３に示す第２実施形態のＡＣＤＣ電源装置では、回路基板１０に設けられた交流入力端子１０ａおよび直流出力端子１０ｂの位置が、図１に示す第１実施形態のＡＣＤＣ電源装置とは異なる。
【００２６】
図３に示す第２実施形態のＡＣＤＣ電源装置では、回路基板１０に実装されたダイオードブリッジ２０、コイル４０、ダイオード４５、スイッチング素子５５、コンデンサ６５およびＥＭＣ対策部材６０の位置が、図１に示す第１実施形態のＡＣＤＣ電源装置とは異なる。また、図３に示す第２実施形態のＡＣＤＣ電源装置では、回路基板１０に設けられた交流入力ライン３０、スイッチングライン５０および直流出力ライン７０の位置が、図１に示す第１実施形態のＡＣＤＣ電源装置とは異なる。
【００２７】
第２実施形態のＡＣＤＣ電源装置においても、図３に示すように、スイッチングライン５０の一部が、交流入力ライン３０の一部に対して垂直に配置される。そのため、スイッチングラインの全体が交流入力ラインの全体に対して平行に配置される場合よりも、スイッチングノイズが交流入力ライン３０に与える影響を抑制することができる。
【００２８】
詳細には、第２実施形態のＡＣＤＣ電源装置では、コイル隣接部分５０ａが、交流入力端子隣接部分３０ａに対して垂直に配置される。図３に示す例では、コイル隣接部分５０ａが、Ｌ側交流入力端子隣接部分３０ａ１およびＮ側交流入力端子隣接部分３０ａ２に対して垂直に配置される。そのため、コイル隣接部分が交流入力端子隣接部分に対して平行に配置される場合よりも、スイッチングノイズが交流入力ライン３０の交流入力端子隣接部分３０ａに与える影響を抑制することができる。すなわち、第２実施形態のＡＣＤＣ電源装置では、ＡＣＤＣ電源装置全体を小型化し、かつ、スイッチングノイズが交流入力ライン３０の交流入力端子隣接部分３０ａに与える影響を抑制することができる。
【００２９】
図３に示すように、ダイオードブリッジ２０は、交流入力端子隣接部分３０ａとスイッチング素子５５との間に配置される。つまり、スイッチング素子５５が交流入力端子隣接部分３０ａから図３の左右方向に離されている。そのため、スイッチング素子が交流入力端子隣接部分に近い場合よりも、スイッチングノイズが交流入力端子隣接部分３０ａに与える影響を抑制することができる。
【００３０】
図３に示すように、第２実施形態のＡＣＤＣ電源装置においても、ＥＭＣ対策部材６０がスイッチングライン５０と交流入力端子隣接部分３０ａとの間に配置される。そのため、ＥＭＣ対策部材がスイッチングラインと交流入力端子隣接部分との間に配置されない場合よりも、スイッチングノイズが交流入力端子隣接部分３０ａに与える影響を抑制することができる。
【００３１】
図３に示す第２実施形態のＡＣＤＣ電源装置では、図１に示す第１実施形態のＡＣＤＣ電源装置と同様に、回路基板１０が長方形状である。第２実施形態のＡＣＤＣ電源装置では、直流出力ライン７０が、交流入力端子隣接部分３０ａに対して垂直に配置される。そのため、直流出力ラインが交流入力端子隣接部分に対して平行に配置される場合よりも、直流出力ライン７０において発生するノイズが交流入力端子隣接部分３０ａに与える影響を抑制することができる。
【００３２】
第２実施形態のＡＣＤＣ電源装置では、図３に示すように、コイル４０が、交流入力端子隣接部分３０ａとスイッチング素子５５との間に配置される。コイル隣接部分５０ａが延びる第１方向（図３の左右方向）は、交流入力端子隣接部分３０ａが延びる第２方向（図３の上下方向）に対して垂直である。第１方向におけるコイル４０とスイッチング素子５５との間隔ａは、第２方向におけるスイッチング素子５５とダイオード４５との間隔ｂよりも大きい。つまり、スイッチング素子５５が交流入力端子隣接部分３０ａから離される。そのため、スイッチング素子が交流入力端子隣接部分に近い場合よりも、スイッチングノイズが交流入力端子隣接部分３０ａに与える影響を抑制することができる。
【００３３】
第２実施形態のＡＣＤＣ電源装置では、図３に示すように、ダイオードブリッジ隣接部分３０ｂの一部が、コイル隣接部分５０ａに対して平行である。つまり、Ｌ側ダイオードブリッジ隣接部分３０ｂ１と、Ｎ側ダイオードブリッジ隣接部分３０ｂ２とは、コイル隣接部分５０ａに対して平行な部分と、コイル隣接部分５０ａに対して垂直な部分とを有する。Ｌ側ダイオードブリッジ隣接部分３０ｂ１の、コイル隣接部分５０ａに対して平行な部分の長さｄは、交流入力端子隣接部分３０ａの長さｃよりも短い。
【００３４】
つまり、第２実施形態のＡＣＤＣ電源装置では、Ｌ側ダイオードブリッジ隣接部分３０ｂ１におけるコイル隣接部分５０ａに対して平行な部分の長さｄが、コイル隣接部分５０ａに対して垂直な交流入力端子隣接部分３０ａの長さｃよりも長い場合と比較して、スイッチングノイズがＬ側ダイオードブリッジ隣接部分３０ｂ１に与える影響を抑制することができる。
【００３５】
＜第３実施形態＞
図３に示す第２実施形態のＡＣＤＣ電源装置には、ＤＣＤＣコンバータが設けられないが、図４に示す第３実施形態のＡＣＤＣ電源装置には、ＤＣＤＣコンバータ７５が設けられる。詳細には、第３実施形態のＡＣＤＣ電源装置は、スイッチング素子５５を駆動するゲートドライバと、ゲートドライバに電源を供給するＤＣＤＣコンバータ７５とを備える。ＤＣＤＣコンバータ７５は、回路基板１０に対して垂直に配置される。そのため、ＤＣＤＣコンバータが回路基板に対して平行に配置される場合よりも、ＤＣＤＣコンバータ７５において発生するノイズが回路基板１０に伝搬することを抑制することができる。また、ＤＣＤＣコンバータが回路基板に対して平行に配置される場合よりも、回路基板１０において発生するノイズがＤＣＤＣコンバータ７５に伝搬することを抑制することができる。
第１〜第３実施形態のＡＣＤＣ電源装置はモータに適用可能である。第１〜第３実施形態のＡＣＤＣ電源装置を備えたモータは、電磁ノイズが低減されるため、他の電子機器に与える影響が小さい。そのため、あらゆるシステムに本開示のモータを使用可能である。
【符号の説明】
【００３６】
１０…回路基板、１０ａ…交流入力端子、１０ａ１…Ｌ側交流入力端子、１０ａ２…Ｎ側交流入力端子、１０ｂ…直流出力端子、１０ｂ１…高電位側直流出力端子、１０ｂ２…低電位側直流出力端子、１０−１、１０−２、１０−３、１０−４…辺、２０…ダイオードブリッジ、３０…交流入力ライン、３０ａ…交流入力端子隣接部分、３０ａ１…Ｌ側交流入力端子隣接部分、３０ａ２…Ｎ側交流入力端子隣接部分、３０ｂ…ダイオードブリッジ隣接部分、３０ｂ１…Ｌ側ダイオードブリッジ隣接部分、３０ｂ２…Ｎ側ダイオードブリッジ隣接部分、４０…コイル、４５…ダイオード、５０…スイッチングライン、５０ａ…コイル隣接部分、５０ｂ…スイッチング素子隣接部分、５０ｃ…ダイオード隣接部分、５５…スイッチング素子、６０…ＥＭＣ対策部材、６５…コンデンサ、７０…直流出力ライン、７０ａ…高電位側直流出力ライン、７０ｂ…低電位側直流出力ライン、７５…ＤＣＤＣコンバータ
【図１】
2018088454.tif 000003
【図２】
2018088454.tif 000004
【図３】
2018088454.tif 000005
【図４】
2018088454.tif 000006
【国際調査報告】
2018088454.tif 000007
2018088454.tif 000008
2018088454.tif 000009
2018088454.tif 000010